【手続補正書】
【提出日】平成29年8月8日(2017.8.8)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によって、測位基準信号（ＰＲＳ）ネットワーク構成を決定するための方法であって、
無線フレーム内で、しきい値を超えるピークエネルギー応答を有する第１のサブフレームを観測することによって、入力信号の各サブフレームの所定のロケーションからＰＲＳエネルギーを推定することと、
複数回、前記無線フレームを走査することと、
各サブフレームの前記推定されたＰＲＳエネルギーが前記しきい値を超えていることに基づいて、前記無線フレームの各サブフレームにおけるＰＲＳ信号の有無を決定することと、
前記複数回の走査の多数値に少なくとも部分的に基づいて、各決定されたサブフレームに値を割り当てることと、
ミューティングパターンに少なくとも部分的に基づいて、ＰＲＳパラメータを決定することと、ここにおいて、前記ミューティングパターンは、各サブフレームごとに、前記割り当てられた値に少なくとも部分的に基づく、
によって、前記推定されたＰＲＳエネルギーに少なくとも部分的に基づいて前記ＰＲＳパラメータをブラインド検出することと、
を備える方法。
【請求項２】
前記ＰＲＳエネルギーはＰＲＳピークエネルギー応答を備える、請求項１に記載の方法。
【請求項３】
前記ＰＲＳエネルギーを推定することは、複数の周波数トーンにわたってピークエネルギー応答を観測することを備え、
ＰＲＳパラメータをブラインド検出することは、前記観測に少なくとも部分的に基づいてＰＲＳ帯域幅パラメータを決定することを備える、請求項２に記載の方法。
【請求項４】
前記ＰＲＳエネルギーを推定することは、
前記観測に少なくとも部分的に基づいてＰＲＳオケージョンの開始に関するサブフレームオフセットパラメータを決定すること
を備える、請求項２に記載の方法。
【請求項５】
前記ＰＲＳエネルギーは、ＰＲＳの信号と信号プラス雑音との比を備える、請求項１に記載の方法。
【請求項６】
ワイヤレス通信のための装置であって、
無線フレーム内で、しきい値を超えるピークエネルギー応答を有する第１のサブフレームを観測することによって、入力信号の各サブフレームの所定のロケーションにおけるＰＲＳエネルギーを推定するための手段と、
複数回、前記無線フレームを走査することと、
各サブフレームの前記推定されたＰＲＳエネルギーが前記しきい値を超えていることに基づいて、前記無線フレームの各サブフレームにおけるＰＲＳ信号の有無を決定することと、
前記複数回の走査の多数値に少なくとも部分的に基づいて、各決定されたサブフレームに値を割り当てることと、
ミューティングパターンに少なくとも部分的に基づいて、ＰＲＳパラメータを決定することと、ここにおいて、前記ミューティングパターンは、各サブフレームごとに、前記割り当てられた値に少なくとも部分的に基づく、
によって、前記推定されたＰＲＳエネルギーに少なくとも部分的に基づいて前記ＰＲＳパラメータをブラインド検出するための手段と、
を備える装置。
【請求項７】
複数のロケーションから信号を受信するように構成された受信機と、
無線フレーム内で、しきい値を超えるピークエネルギー応答を有する第１のサブフレームを観測することによって、入力信号の各サブフレームの所定のロケーションにおけるＰＲＳエネルギーを推定し、
複数回、前記無線フレームを走査することと、
各サブフレームの前記推定されたＰＲＳエネルギーが前記しきい値を超えていることに基づいて、前記無線フレームの各サブフレームにおけるＰＲＳ信号の有無を決定することと、
前記複数回の走査の多数値に少なくとも部分的に基づいて、各決定されたサブフレームに値を割り当てることと、
ミューティングパターンに少なくとも部分的に基づいて、ＰＲＳパラメータを決定することと、ここにおいて、前記ミューティングパターンは、各サブフレームごとに、前記割り当てられた値に少なくとも部分的に基づく、
によって、前記推定されたＰＲＳエネルギーに少なくとも部分的に基づいてＰＲＳパラメータをブラインド検出する
ように構成された少なくとも１つのプロセッサと、
を備える請求項６に記載の装置。
【請求項８】
前記ＰＲＳエネルギーは、ＰＲＳピークエネルギー応答を備える、請求項５に記載の装置。
【請求項９】
前記少なくとも１つのプロセッサは、
複数の周波数トーンにわたってピークエネルギー応答を観測し、
前記観測に少なくとも部分的に基づいてＰＲＳ帯域幅パラメータを決定するようにさらに構成される、請求項８に記載の装置。
【請求項１０】
前記少なくとも１つのプロセッサは、
前記観測に少なくとも部分的に基づいてＰＲＳオケージョンの開始に関するサブフレームオフセットパラメータを決定するようにさらに構成される、請求項８に記載の装置。
【請求項１１】
前記ＰＲＳエネルギーは、ＰＲＳの信号と信号プラス雑音との比を備える、請求項７に記載の装置。
【請求項１２】
コンピュータによって実行されると、請求項１ないし５のいずれか一項に記載の方法の実行をもたらすプログラムコードを記録したコンピュータ可読媒体。
【手続補正２】
【補正対象書類名】明細書
【補正対象項目名】０１３７
【補正方法】変更
【補正の内容】
【０１３７】
[00118]本開示についての以上の説明は、いかなる当業者でも本開示を作成または使用することができるように与えたものである。本開示への様々な修正は当業者には容易に明らかになり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に本願の出願当初の特許請求の範囲に記載された発明を付記する。
［Ｃ１］  測位基準信号（ＰＲＳ）ネットワーク構成を決定するための方法であって、
入力信号の各サブフレームの所定のロケーションからＰＲＳエネルギーを推定することと、
前記推定されたＰＲＳエネルギーに少なくとも部分的に基づいてＰＲＳパラメータをブラインド検出することと、
を備える方法。
［Ｃ２］  前記ＰＲＳエネルギーはＰＲＳピークエネルギー応答を備える、Ｃ１に記載の方法。
［Ｃ３］  前記ＰＲＳピークエネルギー応答を推定することは、複数の周波数トーンにわたってピークエネルギー応答を観測することを備え、
ＰＲＳパラメータをブラインド検出することは、前記観測に少なくとも部分的に基づいてＰＲＳ帯域幅パラメータを決定することを備える、Ｃ２に記載の方法。
［Ｃ４］  前記ＰＲＳピークエネルギー応答を推定することは、
無線フレーム内で、しきい値を超えるピークエネルギー応答を有する第１のサブフレームを観測することを備え、
ＰＲＳパラメータをブラインド検出することは、前記観測に少なくとも部分的に基づいてＰＲＳオケージョンの開始に関するサブフレームオフセットパラメータを決定することを備える、Ｃ２に記載の方法。
［Ｃ５］  前記ＰＲＳピークエネルギー応答を推定することは、無線フレーム内で、しきい値を超えるピークエネルギー応答を有する第１のサブフレームを観測することを備え、
ＰＲＳパラメータをブラインド検出することは、
前記第１のサブフレームの後に、前記観測に少なくとも部分的に基づいて、前記しきい値を超えるピークエネルギー応答を有する連続するサブフレームの数を決定することと、
前記決定することに少なくとも部分的に基づいて、ＰＲＳオケージョンにおける連続するサブフレームの数に対するＰＲＳパラメータを設定することと、
を備える、Ｃ２に記載の方法。
［Ｃ６］  ＰＲＳパラメータをブラインド検出することは、
複数回、無線フレームを走査することと、
前記無線フレームの各サブフレームにおけるＰＲＳ信号の有無を決定することと、
前記複数回の走査の多数値に少なくとも部分的に基づいて、各サブフレームに値を割り当てることと、
各サブフレームごとに、前記割り当てられた値に少なくとも部分的に基づいてミューティングパターンを決定することと、
を備える、Ｃ１に記載の方法。
［Ｃ７］  前記ＰＲＳエネルギーは、ＰＲＳの信号と信号プラス雑音との比を備える、Ｃ１に記載の方法。
［Ｃ８］  ワイヤレス通信のための装置であって、
複数のロケーションから信号を受信するように構成された受信機と、
入力信号の各サブフレームの所定のロケーションにおけるＰＲＳエネルギーを推定し、
前記推定されたＰＲＳエネルギーに少なくとも部分的に基づいてＰＲＳパラメータをブラインド検出する
ように構成された少なくとも１つのプロセッサと、
を備える装置。
［Ｃ９］  前記ＰＲＳエネルギーは、ＰＲＳピークエネルギー応答を備える、Ｃ８に記載の装置。
［Ｃ１０］  前記少なくとも１つのプロセッサは、
複数の周波数トーンにわたってピークエネルギー応答を観測し、
前記観測に少なくとも部分的に基づいてＰＲＳ帯域幅パラメータを決定するようにさらに構成される、Ｃ９に記載の装置。
［Ｃ１１］  前記少なくとも１つのプロセッサは、
無線フレーム内で、しきい値を超えるピークエネルギー応答を有する第１のサブフレームを観測し、
前記観測に少なくとも部分的に基づいてＰＲＳオケージョンの開始に関するサブフレームオフセットパラメータを決定するようにさらに構成される、Ｃ９に記載の装置。
［Ｃ１２］  前記少なくとも１つのプロセッサは、
無線フレーム内で、しきい値を超えるピークエネルギー応答を有する第１のサブフレームを観測し、
前記第１のサブフレームの後に、前記観測に少なくとも部分的に基づいて、前記しきい値を超えるピークエネルギー応答を有する連続するサブフレームの数を決定し、
前記決定することに少なくとも部分的に基づいて、ＰＲＳオケージョンにおける連続するサブフレームの数に対するＰＲＳパラメータを設定するようにさらに構成される、Ｃ９に記載の装置。
［Ｃ１３］  前記少なくとも１つのプロセッサは、
複数回、無線フレームを走査し、
前記無線フレームの各サブフレームにおけるＰＲＳ信号の有無を決定し、
前記複数回の走査の多数値に少なくとも部分的に基づいて、各サブフレームに値を割り当て、
各サブフレームごとに、前記割り当てられた値に少なくとも部分的に基づいてミューティングパターンを決定するようにさらに構成される、Ｃ８に記載の装置。
［Ｃ１４］  前記ＰＲＳエネルギーは、ＰＲＳの信号と信号プラス雑音との比を備える、Ｃ８に記載の装置。
［Ｃ１５］  コンピュータプログラム製品であって、
プログラムコードを記録した非一時的コンピュータ可読媒体を備え、
前記プログラムコードは、
入力信号の各サブフレームの所定のロケーションにおけるＰＲＳエネルギーを推定するためのプログラムコードと、
前記推定されたＰＲＳエネルギーに少なくとも部分的に基づいてＰＲＳパラメータをブラインド検出するためのプログラムコードと、
を備えるコンピュータプログラム製品。
［Ｃ１６］  前記ＰＲＳエネルギーはＰＲＳピークエネルギー応答を備える、Ｃ１５に記載のプログラム製品。
［Ｃ１７］  前記ＰＲＳエネルギーは、ＰＲＳの信号と信号プラス雑音との比を備える、Ｃ１５に記載のプログラム製品。
［Ｃ１８］  ワイヤレス通信のための装置であって、
入力信号の各サブフレームの所定のロケーションにおけるＰＲＳエネルギーを推定するための手段と、
前記推定されたＰＲＳエネルギーに少なくとも部分的に基づいてＰＲＳパラメータをブラインド検出するための手段と、
を備える装置。
［Ｃ１９］  前記ＰＲＳエネルギーは、ＰＲＳピークエネルギー応答を備える、Ｃ１８に記載の装置。
［Ｃ２０］  前記ＰＲＳエネルギーは、ＰＲＳの信号と信号プラス雑音との比を備える、Ｃ１８に記載の装置。